(57)【要約】【課題】  空気清浄機や空気調和機の集塵用フィルターの掃除は、高所に取り付けられている場合はフィルターを取り外す際に顔や身体に埃などが落ちてきたり、手が汚れたりして不衛生であった。【解決手段】  フィルターの前面に稼動するブラシを設置することによって、フィルターを取り外すことなくフィルター掃除ができ、常に清浄な状態に保っておくことを可能にしたフィルター除塵装置。【選択図】図１
2008180500.tif 000002
【特許請求の範囲】
【請求項１】
空気調和機の通風回路内に設置されているフィルターの前面に、ブラシと前記ブラシを空気調和機のフィルター表面に沿って往復移動させることができる移動手段と、前記ブラシでかき集められ、当該ブラシから取り除かれたごみ・埃などを一時的に溜めておくボックスを具備することを特徴とする空気調和機用フィルターの除塵装置。
【請求項２】
前記ボックスは、前記空気調和機に対して脱着可能であることを特徴とする請求項１に記載の空気調和機用フィルターの除塵装置。
【発明の詳細な説明】
【技術分野】
【０００１】
本発明は、集塵を目的としたフィルターの掃除を行なうために設けられた、空気調和機用のフィルターの除塵装置に関するものである。
【背景技術】
【０００２】
従来、空気調和機には、機器の通風回路内にごみや埃が詰まり、性能を低下させないように集塵を目的とした脱着可能なフィルターが設置されており、定期的にこのフィルターを取り外して水洗いや掃除機でごみや埃を除去掃除していた。
【発明の開示】
【発明が解決しようとする課題】
【０００３】
しかしながら、上記従来の構成では、高所に取り付けられている場合はフィルターを取り外す際に顔や身体に埃などが落ちてきたり、手が汚れたりして不衛生であった。そこで特開平７−８８３１３号公報記載のようなフィルターを取り外さずに水で自動洗浄するもが考案されているが、この場合水タンクに常時水を入れておく必要があり手間がかかる。また、水が汚れてくると汚染したりする場合もあり、水漏れの可能性もあるという課題を有していた。
【０００４】
本発明はこのような従来の課題を解決するものであり、フィルターを取り外すことなくフィルター掃除ができ、常に清浄な状態での運転を可能にした空気調和機用フィルター除塵装置を提供することを目的とする。
【課題を解決するための手段】
【０００５】
上記課題を解決するために本発明は、フィルターに堆積した、ごみや埃をブラシでかき落とす機構を有した空調機用フィルターの除塵装置であり、前記機構によって人による掃除が不要となる。したがってフィルターを取り外す際に顔や身体に埃などが落ちてきたり、手が汚れたりして不衛生になることもなく、また水も使わない為、水を補給する手間もなく、水漏れで床を汚す心配もない。
【発明の効果】
【０００６】
本発明の除塵装置は、フィルターの前面にブラシを設置し、前記ブラシでかき集められ、当該ブラシから取り除かれたごみ・埃などを一時的に溜めておくボックスを具備したもので、フィルター表面にごみや埃が堆積するとブラシを移動させてごみや埃を除去することができ、ブラシで除去したごみや埃を一ヶ所に回収でき、溜まってからまとめて捨てることができ回収ボックス内の掃除も簡単にできる。
【発明を実施するための最良の形態】
【０００７】
第１の発明は、空気調和機の通風回路内に設置されているフィルターの前面に、ブラシと前記ブラシを空気調和機のフィルター表面に沿って往復移動させることができる移動手段と、前記ブラシでかき集められ、当該ブラシから取り除かれたごみ・埃などを一時的に溜めておくボックスを具備したことにより、フィルター表面のごみや埃を除去することができる。
【０００８】
第２の発明は、特に第１の発明のボックスを空気調和機に対して脱着可能にしたことにより、ブラシで除去したごみや埃を一ヶ所に回収でき、溜まってからまとめて捨てることができる。
【０００９】
以下本発明の実施例について図面を参照して説明する。
【００１０】
（実施の形態１）
図１において、１ａは集塵装置、２ａはブラシ、３は駆動モータ、４はレ−ル、５は櫛である。
【００１１】
図２は集塵装置１ａを空気調和機内に設置してあるフィルター６の前面に添うように設置した時の断面図であり、ブラシ２ａは初期状態で集塵装置１ａの上側
に位置している。
【００１２】
上記構成において、フィルター６にごみや埃が堆積したら集塵装置１ａのブラシ２ａが駆動モータ３により、レール４上に沿って移動し、フィルター６に堆積
したごみや埃をこすり落としながら下側へ移動した後、上側の定位置まで移動する。
【００１３】
この時、ブラシでかき集めたごみや埃はブラシに絡み付き取れなくなることを防止する為にレール４の下方に櫛５を下側に傾けて設置することでブラシが定位置に戻る時、櫛５がブラシに付着したごみや埃を取り除くことができる。
【００１４】
（実施の形態２）
図３においてブラシ２ｂは、下方への移動方向に対し鋭角になる様に取り付けられている。これによりブラシ２ｂは、フィルター６表面のごみや埃をかき取る
効果が出るため下方へ移動する際、ごみや埃の回収効率を良くする事ができる。
【００１５】
（実施の形態３）
図４において７はブラシでかき集めたごみや埃を回収する脱着可能なごみ回収ボックスであり、集塵装置１とフィルター６の下側に設置した時の断面図である。
【００１６】
そして、この実施例によれば、ブラシで除去したごみや埃を一ヶ所に回収でき、溜まってからまとめて捨てることができ、また掃除も簡単で清潔な状態を保つことができる。
【００１７】
（実施の形態４）
図５は、ブラシを回転ブラシ２ｃにしたもので構成される集塵装置１である。
【００１８】
回転ブラシ２ｃはフィルター６を叩く作用も加わりさらにごみや埃の集塵効率を向上させることができる。
【００１９】
（実施の形態５）
図６は、可動フィルター８の端面に前記可動フィルター８の巻き取り装置９を取付け、可動フィルター８を上下にスライドするようにしたものである。
【００２０】
図７は、集塵装置１ｂであり、固定ブラシ１０はガイド１１に固定されており、可動フィルター８が巻き取り装置９によりスライドすることでごみや埃は固定ブラシ１０でかき取られる。この構成によれば集塵装置１のレール４が無くなり空気調和機の前後の厚み（奥行き）を薄くする事ができ軽量化、省スペース化が可能となる。
【産業上の利用可能性】
【００２１】
以上のように本発明の除塵装置は、フィルターの付着したごみ・埃等を取り除くことができるので、空気清浄機、換気扇、温風器等のように空気を吸込み、該空気のごみ・埃等を取り除くフィルターを具備する他の機器にも適用できる。
【図面の簡単な説明】
【００２２】
【図１】本発明の一実施例を示す集塵装置の斜視図
【図２】同一実施例の集塵装置を取り付けた時の空気調和機の断面図
【図３】集塵装置のブラシの取付け角度を変えて取り付けた時の空気調和機の断面図
【図４】ごみ回収ボックスを取り付けた時の空気調和機の断面図
【図５】ブラシを回転ブラシにした時の集塵装置の斜視図
【図６】可動フィルターに巻き取り装置を取り付けた時のフィルターの平面図
【図７】本発明の他の実施例を示す集塵装置の斜視図
【符号の説明】
【００２３】
１ａ，１ｂ  集塵装置
２ａ，２ｂ  ブラシ
２ｃ  回転ブラシ
３  駆動モータ
４  レール
５  櫛
６  フィルター
７  ボックス
８  可動フィルター
９  巻き取り装置
１０  固定ブラシ
１１  ガイド
【図１】
2008180500.tif 000003
【図２】
2008180500.tif 000004
【図３】
2008180500.tif 000005
【図４】
2008180500.tif 000006
【図５】
2008180500.tif 000007
【図６】
2008180500.tif 000008
【図７】
2008180500.tif 000009